(57)【要約】【課題】挿入部先端が体内臓器等にぶつかったり引っ掛かったりしても湾曲部に大きな負荷が作用せず、また、体内臓器の横方向の隙間内等でもよく観察することができる硬性内視鏡の挿入部を提供すること。【解決手段】硬質パイプにより外装された硬質部１１が手元側寄りの部分に設けられた挿入部１の先端部分に、挿入部１の基端に連結された操作部２からの遠隔操作によって屈曲する湾曲部１３が設けられた硬性内視鏡の挿入部１において、挿入部１の硬質部１１と湾曲部１３との間に、可撓管１４０により外装されて外力によって任意の方向に屈曲する軟質部１４を設けた。【選択図】      図１
2006006421.tif 000002
【特許請求の範囲】
【請求項１】
硬質パイプにより外装された硬質部が手元側寄りの部分に設けられた挿入部の先端部分に、上記挿入部の基端に連結された操作部からの遠隔操作によって屈曲する湾曲部が設けられた硬性内視鏡の挿入部において、
上記挿入部の硬質部と湾曲部との間に、可撓管により外装されて外力によって任意の方向に屈曲する軟質部を設けたことを特徴とする硬性内視鏡の挿入部。
【請求項２】
上記軟質部の長さが、上記湾曲部の長さの０．５〜１．５倍の範囲にある請求項１記載の硬性内視鏡の挿入部。
【発明の詳細な説明】
【技術分野】
【０００１】
この発明は硬性内視鏡の挿入部に関する。
【背景技術】
【０００２】
硬性内視鏡は、体壁に突き刺されたトラカール内に通して開腹せずに手術を行う目的等に極めて有効に用いられるが、観察窓等が配置されている挿入部先端を目標に対して容易に誘導することができるように、硬質部が手元側寄りの部分に設けられた挿入部の先端部分に、操作部からの遠隔操作によって屈曲する湾曲部が設けられたものがある（例えば、特許文献１）。
【特許文献１】特開平９−１６８５０６
【発明の開示】
【発明が解決しようとする課題】
【０００３】
しかし、硬質部が手元側寄りの部分に設けられた挿入部の先端部分に湾曲部が設けられた構成の硬性内視鏡は、例えば図５に示されるように、湾曲部９１を屈曲させた状態で挿入部９２を進退操作した時に挿入部先端９３が体内臓器２００等にぶつかったり引っ掛かったりすると、進退操作の力がそのまま湾曲部９１に対して負荷として作用し、湾曲部９１の基端部９１ａ等が破損してしまう場合がある。１００はトラカールである。
【０００４】
また、図６に示されるように、体内臓器２００に横方向の隙間２０１等がある場合に、その隙間２０１内を観察しようとしても、湾曲部９１の首振り動作だけでは目標患部２０２を思うように観察できない場合がある。Ａは観察視野範囲である。
【０００５】
そのような場合に、挿入部が全長にわたって可撓管で外装された軟性内視鏡を用いれば上述のような不都合は発生しない。しかし、軟性内視鏡は押し引き操作にダイレクト感がなくて手元側の操作が先端にメリハリよく伝わらないので、トラカール内に通して経内視鏡的な手術を行うのには不向きである。
【０００６】
そこで本発明は、挿入部先端が体内臓器等にぶつかったり引っ掛かったりしても湾曲部に大きな負荷が作用せず、また、体内臓器の横方向の隙間内等でもよく観察することができる硬性内視鏡の挿入部を提供することを目的とする。
【課題を解決するための手段】
【０００７】
上記の目的を達成するため、本発明の硬性内視鏡の挿入部は、硬質パイプにより外装された硬質部が手元側寄りの部分に設けられた挿入部の先端部分に、挿入部の基端に連結された操作部からの遠隔操作によって屈曲する湾曲部が設けられた硬性内視鏡の挿入部において、挿入部の硬質部と湾曲部との間に、可撓管により外装されて外力によって任意の方向に屈曲する軟質部を設けたものである。
【０００８】
なお、軟質部の長さが、湾曲部の長さの０．５〜１．５倍の範囲にあるとよい。
【発明の効果】
【０００９】
本発明によれば、挿入部の手元側寄りの硬質部と先端側の湾曲部との間に、可撓管により外装されて外力によって任意の方向に屈曲する軟質部を設けたことにより、挿入部先端が体内で体内臓器等にぶつかったり引っ掛かったりしても負荷が軟質部で吸収されて湾曲部に大きな負荷が作用せず、また、軟質部が適宜に撓むことにより、体内臓器の横方向の隙間内等へも誘導してその内部をよく観察することができる。
【発明を実施するための最良の形態】
【００１０】
挿入部の手元側寄りの硬質部と先端側の湾曲部との間に、可撓管により外装されて外力によって任意の方向に屈曲する軟質部が設けられ、その軟質部の長さが、湾曲部の長さの０．５〜１．５倍の範囲にある。
【実施例】
【００１１】
図面を参照して本発明の実施例を説明する。
図１は硬性内視鏡の全体構成を示しており、細長い管状に形成された挿入部１の手元側基端部に操作部２が連結され、挿入部１の手元側から半分以上の部分はステンレス鋼管等のような硬質パイプによって外装された硬質部１１になっている。
【００１２】
挿入部１の最先端部分は、観察窓等が配置された先端部本体１２であり、その先端部本体１２に隣接する部分は、操作部２に配置されている湾曲操作レバー２１を操作することによって遠隔的に任意に屈曲させることができる湾曲部１３になっている。
【００１３】
そして、本発明においては湾曲部１３と硬質部１１とが直結されておらず、可撓管により外装されていて外力により任意の方向に屈曲する軟質部１４が、湾曲部１３と硬質部１１との間に配置されている
図２は、そのような挿入部１の先側寄りの半部を示しており、先端部本体１２の先端面には観察窓１２１と処置具突出口１２２、及び図示されていない照明窓等が並んで配置されている。
【００１４】
湾曲部１３は、例えば短筒状の複数の節輪１３１をリベット１３２等で回動自在に連結して、その外面をゴムチューブ等で被覆して構成されており、湾曲操作レバー２１によって牽引操作される操作ワイヤ（図示せず）の先端が湾曲部１３の先端部分に連結されている。
【００１５】
軟質部１４は断面形状を図示してあり、軟質部１４を外装する可撓管１４０は、例えば巻き方向が相違する二重の金属螺旋管１４１，１４２の外面に網状管１４３を被覆して、その外面である最外層部分に可撓性樹脂材１４４をチューブ状に被覆して構成されている。
【００１６】
挿入部１内には各種内蔵物が全長にわたって挿通配置されており、例えば、３は、観察窓１２１から取り込まれた内視鏡観察像を撮像した撮像信号を伝送するための信号ケーブル、４は、処置具突出口１２２に連通する処置具挿通チャンネルである。
【００１７】
このように構成された実施例の硬性内視鏡は、図３に示されるようにトラカール１００に通して使用され、操作部２からの遠隔操作によって屈曲する湾曲部１３と硬質部１１との間に、外力によって任意の方向に屈曲する軟質部１４が配置されていることにより、湾曲部１３を屈曲させた状態で挿入部１を進退操作した時に先端部本体１２が体内臓器２００等にぶつかったり引っ掛かったりしても、それに応じて軟質部１４が変形するので湾曲部１３に大きな力が作用せず、したがって部材の破損等が発生しない。
【００１８】
また、図４に示されるように、体内臓器２００に横方向の隙間２０１等がある場合に、その隙間２０１内を観察しようとする際に、湾曲部１３の首振り動作だけでは目標患部２０２を思うように観察できない場合でも、湾曲部１３の屈曲操作と共に硬質部１１を手元側から押し込み操作することにより、軟質部１４が体内臓器２００側から受ける力により適宜撓んで、先端部本体１２を体内臓器２００の横方向の隙間２０１内に導いて、目標患部２０２を観察視野範囲Ａ内に捉えることができる。
【００１９】
なお、そのように動作させるためには、軟質部１４の軸線方向長さが湾曲部１３の軸線方向長さの０．５〜１．５倍の範囲にあるとよく、軟質部１４がそれより短いと上述の効果の発生が不十分になり、逆にそれより長いと、挿入部１を押し引き操作したときにダイレクト感が小さくなるため、トラカール１００に通して経内視鏡的な手術を行うのに不向きになる。
【図面の簡単な説明】
【００２０】
【図１】本発明の実施例の硬性内視鏡の全体構成を示す側面図である。
【図２】本発明の実施例の硬性内視鏡の挿入部の先側半部の構成を示す側面部分断面図である。
【図３】本発明の実施例の硬性内視鏡の使用状態の略示図である。
【図４】本発明の実施例の硬性内視鏡の使用状態の略示図である。
【図５】従来の硬性内視鏡の使用状態の略示図である。
【図６】従来の硬性内視鏡の使用状態の略示図である。
【符号の説明】
【００２１】
１  挿入部
２  操作部
１１  硬質部
１２  先端部本体
１３  湾曲部
１４  軟質部
２１  湾曲操作レバー
１００  トラカール
１４０  可撓管
２００  体内臓器
２０１  隙間
２０２  患部
【図１】
2006006421.tif 000003
【図２】
2006006421.tif 000004
【図３】
2006006421.tif 000005
【図４】
2006006421.tif 000006
【図５】
2006006421.tif 000007
【図６】
2006006421.tif 000008